(57)【特許請求の範囲】
【請求項１】
繰り返し基準信号が記録され、前記基準信号を基準にして、所望のデータを記録又は再生するように形成されたデータの記録媒体において、
前記記録媒体は、ディスク状の記録媒体であって、情報記録面がセクタに分割され、
前記基準信号は、前記セクタを識別する識別信号がＮＲＺＩ変調されて各セクタに複数回記録されたものであり、複数回のうちの一部が反転されたものである
ことを特徴とするデータの記録媒体。
【請求項２】
記録媒体に繰り返し基準信号を記録するデータ記録装置において、
前記記録媒体は、情報記録面がセクタに分割されたディスク状記録媒体であり、
前記基準信号は、前記記録媒体に所望のデータを記録する際の、また前記記録媒体に記録されたデータを再生する際の、基準とされる信号でなり、前記セクタを識別する識別信号をＮＲＺＩ変調したものであり、
前記データ記録装置は、前記基準信号を繰り返し記録する際に、繰り返しの一部で信号レベルを反転して記録する
ことを特徴とするデータ記録装置。
【発明の詳細な説明】
【０００１】
【産業上の利用分野】
本発明は、データの記録媒体及びデータ記録装置に関し、例えば光磁気ディスクにおいて、各セクタの識別信号を繰り返し記録する際に、この識別信号を一部反転して記録することにより、簡易な構成で、記録したデータを確実に再生できるようにする。
【０００２】
【従来の技術】
従来、光ディスク装置においては、予めプリフォーマットにより光磁気ディスクに識別信号が記録され、この識別信号を基準にして記録再生の処理を実行するようになされている。
【０００３】
すなわちこの種の光ディスク装置に適用される光磁気ディスクは、情報記面が放射状に分割されてセクタが形成され、トラック番号、セクタ番号等を表す識別信号がこのセクタの先頭部分に、ピットにより予めプリフォーマットされて記録される。
【０００４】
光ディスク装置は、この光磁気ディスクにレーザービームを照射してその戻り光を受光し、この戻り光の光量の変化に追従して信号レベルが変化する再生信号を生成する。さらに光ディスク装置は、ＡＣカップリングによりこの再生信号から交流成分を抽出した後、０レベルでなるスライスレベルを基準にしてこの交流成分を２値化し、その結果得られる２値化信号から識別信号を復調する。
【０００５】
これにより光ディスク装置は、トラック番号、セクタ番号等を検出し、記録時、目的とするセクタにおいて、読み出し時の光量から書き込み時の光量にレーザービームの光量を間欠的に立ち上げると共に、このレーザービーム照射位置に規定の磁界を印加し、目的とするセクタに熱磁気記録の手法を適用して所望のデータを記録する。
【０００６】
また再生時、光ディスク装置は、識別信号を基準にして目的とするセクタを検出し、このセクタにおいて、戻り光の偏波面に応じて信号レベルが変化する再生信号より再生データを生成する。これにより光ディスク装置は、再生時においても、識別信号を基準にして、目的とするセクタを検出し、磁気カー効果を利用してこのセクタに記録されたデータを再生するようになされている。
【０００７】
【発明が解決しようとする課題】
ところでこの種の光ディスク装置においては、再生信号より交流成分を抽出した後、０レベルを基準にして２値化信号を生成して識別信号を復調することにより、識別信号の直流レベルが変動したのでは、簡易かつ確実に識別信号を再生できなくなる。
【０００８】
すなわちこのように直流レベルが変動したのでは、再生信号より交流成分を抽出する際に、この直流レベルの変動も交流成分と共に抽出されることになる。従って固定したスライスレベルにより２値化する場合、その結果得られる２値化信号において正しいタイミングでエッジを立ち上げることが困難になり、この２値化信号から生成するクロックにジッタが発生するようになる。これでは再生信号を復調する際に位相裕度が低下し、確実に識別信号を再生できなくなる。特に、このように位相裕度が低下する場合にあっては、記録密度を向上することが困難になる。
【０００９】
【課題を解決するための手段】
かかる課題を解決するため、本発明に係るデータの記録媒体は、繰り返し基準信号が記録され、前記基準信号を基準にして、所望のデータを記録又は再生するように形成されたデータの記録媒体において、前記記録媒体は、ディスク状の記録媒体であって、情報記録面がセクタに分割され、前記基準信号は、前記セクタを識別する識別信号がＮＲＺＩ変調されて各セクタに複数回記録されたものであり、複数回のうちの一部が反転されたものであることを特徴とする。
【００１０】
本発明は以上の点を考慮してなされたもので、簡易かつ確実に、記録再生の基準となる基準信号を再生することができるデータの記録媒体及びデータ記録装置を提案しようとするものである。
【００１１】
【課題を解決するための手段】
かかる課題を解決するため本発明においては、繰り返し基準信号が記録され、この基準信号を基準にして、所望のデータを記録又は再生するように形成されたデータの記録媒体において、この繰り返し記録された基準信号において、一部が反転して記録されるようにする。
【００１２】
またこのとき、先の基準信号が、記録再生位置を識別する識別信号でなるようにする。
【００１３】
またこれに代えてディスク状の記録媒体であって、情報記録面が放射状に分割されてセクタが形成され、先の基準信号が、セクタを識別する識別信号でなるようにする。
【００１４】
また、本発明に係るデータ記録装置は、上述の課題を解決するために、記録媒体に繰り返し基準信号を記録するデータ記録装置において、前記記録媒体は、情報記録面がセクタに分割されたディスク状記録媒体であり、前記基準信号は、前記記録媒体に所望のデータを記録する際の、また前記記録媒体に記録されたデータを再生する際の、基準とされる信号でなり、前記セクタを識別する識別信号をＮＲＺＩ変調したものであり、前記データ記録装置は、前記基準信号を繰り返し記録する際に、繰り返しの一部で信号レベルを反転して記録することを特徴とする。
【００１５】
さらにこのとき、先の基準信号が、記録再生位置を識別する識別信号でなるようにする。
【００１６】
またこれに代えて、先の記録媒体が、情報記録面が放射状に分割されてセクタが形成されたディスク状記録媒体であり、先の基準信号が、このセクタを識別する識別信号でなるようにする。
【００１７】
【作用】
繰り返し記録されて記録再生の際の基準とされる基準信号において、一部が反転して記録されれば、この基準信号の直流レベルが０レベルよりシフトしている場合でも、再生信号の平均直流レベルを０レベルに近づけることができる。
【００１８】
またこのとき、先の基準信号が、記録再生位置を識別する識別信号でなる場合、この識別信号においては、記録される位置に応じて直流レベルが変化することにより、一部を反転して記録して、再生信号の平均直流レベルを０レベルに近づけることができる。
【００１９】
またこの基準信号が、ディスク状の記録媒体のセクタを識別する識別信号でなるような場合、セクタに応じて基準信号の直流レベルが変化することにより、一部を反転して記録して、再生信号の平均直流レベルを０レベルに近づけることができる。
【００２０】
また記録再生の基準とされる基準信号を記録媒体に繰り返し記録するデータ記録装置において、この基準信号を繰り返し記録する際に、繰り返しの一部で信号レベルを反転して記録すれば、この基準信号の直流レベルが０レベルよりシフトしている場合でも、再生信号の平均直流レベルを０レベルに近づけることができる。
【００２１】
さらにこのとき、先の基準信号が、記録再生位置を識別する識別信号でなるようにすれば、この基準信号は、記録される位置に応じて直流レベルが変化し、この場合でも、再生信号の平均直流レベルを０レベルに近づけることができる。
【００２２】
またこれに代えて、先の基準信号が、ディスク状記録媒体のセクタを識別する識別信号でなるようにすれば、この基準信号は、セクタに応じて直流レベルが変化し、これにより繰り返しの一部で信号レベルを反転して記録して、再生信号の平均直流レベルを０レベルに近づけることができる。
【００２３】
【実施例】
以下、適宜図面を参照しながら本発明の実施例を詳述する。
【００２４】
（１）実施例の構成
図２は、本発明の一実施例に係る光ディスク装置を示すブロック図である。この光ディスク装置１は、光磁気ディスク２に画像データを記録し、またこの光磁気ディスク２に記録された画像データを再生して出力する。
【００２５】
すなわち光ディスク装置１は、ＳＣＳＩコントローラ７を介してＳＣＳＩ（Small computer Sysytem Interface）により外部機器と接続され、この外部機器より入力される制御コマンドに応動して動作を切り換える。ＳＣＳＩコントローラ７は、この外部機器より入力される制御コマンドを内部バスＢＵＳに出力すると共に、この内部バスＢＵＳより入力される応答のコマンドを外部機器に出力する。またＳＣＳＩコントローラ７は、記録時、この外部機器より入力される画像データを誤り訂正回路８に出力し、再生時、誤り訂正回路８より入力される画像データを外部機器に出力する。
【００２６】
誤り訂正回路８は、記録時、このＳＣＳＩコントローラ７より入力される画像データに誤り訂正符号等を付加して規定のデータ構造に変換した後、１−７符号化処理して符号化データを生成し、この符号化データをＲＦ回路９に出力する。これに対して再生時、誤り訂正回路８は、このＲＦ回路９より入力される符号化データを記録時とは逆に元のデータ構造に変換した後、誤り訂正処理等の規定のデータ処理を実行し、これにより光磁気ディスク２に記録された画像データを再生してＳＣＳＩコントローラ７に出力する。
【００２７】
ＲＦ回路９は、対応する光学ブロック３から得られる戻り光の受光結果より、戻り光の光量検出結果をレーザーパワーコントロール回路１０に出力する。またＲＦ回路９は、この戻り光の受光結果より光磁気ディスク２に予めプリフオーマットして記録されたセクターマーク等を検出し、記録、再生のタイミングを検出する。さらにＲＦ回路９は、記録時、誤り訂正回路８より入力される符号化データをＮＲＺＩ（Non Return to Zero Inverted ）変調して変調信号を生成し、セクターマーク等により検出したタイミングを基準にして、この変調信号をレーザーパワーコントロール回路１０に出力する。
【００２８】
また再生時、ＲＦ回路９は、対応する光学ブロック３より得られる再生信号ＲＦを入力し、この再生信号ＲＦより生成される再生クロックにより再生信号ＲＦをＮＲＺＩ復調して再生データを生成し、この再生データを誤り訂正回路８に出力する。
【００２９】
レーザーパワーコントロール回路１０は、ＲＦ回路９より入力される戻り光の光量検出結果に基づいて光学ブロック３より光磁気ディスク２に照射されるレーザービームＬの光量を規定の光量に保持する。さらにレーザーパワーコントロール回路１０は、書き込み時、ＨＦ重畳回路１３を介してＲＦ回路９より入力される変調信号に応じて、レーザービームＬの光量を再生時の光量より書き込み時の光量に間欠的に立ち上げる。
【００３０】
光学ブロック３は、シャーシーに対して固定された固定部３Ａと、光磁気ディスク２の半径方向に可動する可動部３Ｂとで形成されている。このうち固定部３Ａは、レーザービームを射出するレーザーダイオード１２を有し、記録時、ＨＦ重畳回路１３でレーザーダイオード１２の駆動信号に高周波信号を重畳することにより、レーザービームＬの光量を再生時の光量より書き込み時の光量に間欠的に立ち上げる。
【００３１】
さらに固定部３Ａは、レーザーダイオード１２より射出されるレーザービームＬを、プリズム１４を透過して光磁気ディスク２の回転中心軸に向かって射出することにより、この射出光の光軸上に配置された可動部３ＢにレーザービームＬを供給する。さらに固定部３Ａは、可動部３Ｂより得られるレーザービームＬの戻り光をプリズム１４にて反射した後、プリズム１５により光路を折り曲げ、規定の受光素子１６で受光する。
【００３２】
この受光素子１６は、この戻り光よりトラッキングエラー信号、再生信号等を形成できるように形成され、各受光面の受光結果をそれぞれプリアンプ１７に出力する。固定部３Ａは、このプリアンプ１７において、受光素子１６の各出力信号を電流電圧変換処理した後、加減算処理し、規定の増幅率で増幅して出力する。これにより固定部３Ａは、可動部３Ｂに対してレーザービームＬを供給すると共に、可動部３Ｂより得られる戻り光を受光して再生信号ＲＦ、トラッキングエラー信号、フォーカスエラー信号等を生成するようになされている。
【００３３】
これに対して可動部３Ｂは、ラジアルサーボ回路１９により駆動されて、規定の退避位置より光磁気ディスク２の半径方向に可動するように形成され、固定部３Ａより供給されるレーザービームＬの光路をプリズム２０にて折り曲げた後、対物レンズ２１により光磁気ディスク２の情報記録面に集光する。また可動部３Ｂは、情報記録面より得られるレーザービームＬの戻り光を対物レンズ２１により集光した後、プリズム２０にて折り曲げて固定部３Ａに射出する。
【００３４】
この可動部３Ｂにおいて、対物レンズ２１は、駆動信号により上下左右に可動するように形成されている。トラッキングサーボ回路２４は、システムコントロール回路２５により制御されて動作を立ち上げ、トラッキングエラー信号に基づいてこの対物レンズ２１を左右に可動し、これにより光学ブロック３をトラッキング制御する。
【００３５】
またフォーカスサーボ回路２６は、同様にシステムコントロール回路２５により制御されて動作を立ち上げ、フォーカスエラー信号に基づいて対物レンズ２１を上下に可動し、これにより光学ブロック３をフォーカス制御する。
【００３６】
ディスクサーボ回路２７は、スピンドルモータ２８を回転駆動し、これによりこのスピンドルモータ２８の回転軸にチャッキングされた光磁気ディスク２を角速度一定の条件で回転駆動する。
【００３７】
（１−１）ＲＦ回路
ここで図３は、ＲＦ回路９の再生系を示すブロック図である。ＲＦ回路９は、再生時、光学ブロック３より出力される再生信号ＲＦをイコライザ（ＥＱ）３０に入力し、ここで周波数特性を補正する。
【００３８】
コンパレータ３１は、スライスレベルを０レベルに設定した比較回路で形成され、イコライザ３０より出力される再生信号ＲＦをＡＣカップリングにより入力した後、このスライスレベルで２値化し、その結果得られる２値化信号を出力する。かくして再生信号ＲＦの直流レベルが変動すると、この２値化の際、２値化信号のエッジのタイミングが変動することになる。
【００３９】
ＰＬＬ回路３２は、この２値化信号を規定のタイミングで取り込むと共に、この取り込んだ２値化信号のエッジを基準にして再生クロックを生成することにより、光磁気ディスク２に記録された基準信号を基準にして再生クロックを生成する。従って２値化信号が正しいタイミングで２値化されていない場合、この再生クロックにおいては、ジッタ等が発生し、その分光ディスク装置１全体として位相裕度が低下することになる。
【００４０】
データラッチ回路３３は、コンパレータ３１より出力される２値化信号を、再生クロックでラッチし、これにより再生データＮＲＺＩを復調して出力する。ＮＲＺＩ復調回路３４は、この再生データＮＲＺＩをＮＲＺＩ復調して出力し、１−７デコード回路３５は、このＮＲＺＩ復調回路３４の出力データを１−７復調して出力する。これにより光ディスク装置１では、この１−７デコード回路３５を介して、誤り訂正符号が付加されてなる画像データＤＶを復調することができるように形成されている。
【００４１】
アドレスデコード回路３６は、この１−７デコード回路３５の出力データを規定のタイミングで取り込むことにより、トラック番号、セクタ番号等のデータを入力し、これらのデータに付加されたＣＲＣ（Cyclic Redundancy Check ）データにより誤り検出する。さらにアドレスデコード回路３６は、これらのデータを規定のアドレスデータＡＤに変換し、システムコントロール回路２５に出力する。これにより光ディスク装置１では、システムコントロール回路２５により全体の動作を制御して、所望のセクタに画像データを記録し、また所望のセクタより画像データを再生できるようになされている。
【００４２】
（１─２）光磁気ディスクの構成
光磁気ディスク２は、プリフォーマットにより情報記録面が等分割され、図４に示すように規定された４２個のセクタが形成されるようになされている。すなわち各セクタは、予めプリフォーマットにより形成された５５バイトのアドレス部が先頭に形成され、残りの領域がユーザーエリアに割り当てられ、このユーザーエリアに規定フォーマットのデータを記録できるようになされている。
【００４３】
このアドレス部は、先頭部分及び終了部分に、それぞれセクターマーク（ＳＭ）及びポストアンブル（ＰＡ）が記録され、セクターマークＳＭによりセクタの開始位置でなるアドレス部の開始位置を表し、ポストアンブル（ＰＡ）によりアドレス部の終了端を表すようになされている。
【００４４】
さらにこのアドレス部は、残りの領域に、アンドスマーク（ＡＭ１、ＡＭ２、ＡＭ３）、ＩＤ信号（ＩＤ１、ＩＤ２、ＩＤ３）、基準信号（ＶＦＯ１、ＶＦＯ２、ＶＦＯ３）が順次循環的に３回繰り返し記録され、これにより信頼性を確保できるようになされている。ここでアンドスマークは、ＩＤ信号の記録開始位置を表し、基準信号は、先のＰＬＬ回路３２において記録再生時の再生クロックを生成できるようになされている。
【００４５】
これに対してＩＤ信号は、トラック番号、ＩＤ番号及びセクタ番号のデータにＣＲＣデータ、００ｈのデータを付加した後、１−７変調し、さらにＮＲＺＩ変調して記録されるようになされ、光磁気ディスク２では、このＩＤ信号により記録再生位置を表すアドレスを検出できるようになされている。
【００４６】
かくして光ディスク装置１では、セクターマークＳＭに基づいてセクタの開始位置を検出し、またＩＤ信号により記録再生位置を確認し、該当するセクタにおいてポストアンブルが検出されると、続くユーザーエリアに対して記録再生の処理を実行することになる。
【００４７】
ユーザーエリアは、試し書き領域（ＡＬＰＣ）に続いて、基準信号の記録領域（ＶＦＯ４）、データの記録領域（ＤＡＴＡ−ＡＲＥＡ）、バッファの領域（ＢＵＦＦＥＲ）が形成され、試し書き領域を用いて書き込み時の光量を調整できるように形成され、また基準信号の記録領域にデータクロックを記録するように形成され、バッファの領域は、ブランクの領域として保持されるようになされている。
【００４８】
データの記録領域は、規定の同期パターンを記録する同期パターンの領域（ＳＹＮＣ）に続いて、規定バイトのデータを誤り訂正符号と共に記録する記録領域（ＤＡＴＡ）とリシンクの領域（ＲＥＳＹＮＣ）とが交互に形成されるようになされている。
【００４９】
（１−３）ＩＤ信号
このようにして光磁気ディスク２に予めプリフォーマットして記録されるＩＤ信号以外の信号は、繰り返しパターンで形成され、これにより光ディスク装置１では、これら信号については、再生信号の直流レベルを０レベルに保持するようになされている。
【００５０】
これに対してＩＤ信号は、６バイトのデータが上述した変調処理を受けて記録され、この６バイトの先頭のバイトにトラック番号の上位バイト及び下位バイトが割り当てられるようになされている。ここでこの実施例では、情報記録面に螺旋状に記録トラックが形成され、トラック番号においては、内周側から１周単位で、連続するトラック番号が割り当てられるようになされている。
【００５１】
またＩＤ信号は、続く１バイトのビット７及び６にＩＤ番号が割り当てられ、ここでは値００により第１番目のＩＤ信号（ＩＤ１）を表し、値０１により第２番目のＩＤ信号（ＩＤ２）を、値１０により第３番目のＩＤ信号（ＩＤ３）を表すようになされている。これに対してこの続く１バイトの残りのビットには、セクタ番号が割り当てられ、光磁気ディスク２が４２セクタでなることにより、この残りのビットで値０〜値４１のセクタ番号を表現するようになされている。さらに続く２バイトには、第１バイトから第３バイトにより算出される１６ビットのＣＲＣデータが割り当てられ、最後の１バイトに値００ｈの固定値が割り当てられるようになされている。
【００５２】
図５に示すように、これらＩＤ信号は、トラック番号、ＩＤ番号、セクタ番号に対応したデータ列（ＤＡＴＡ）が形成された後、このデータ列が１−７変調により変調データ（ＲＬＬ）に変換された後、ＮＲＺＩ変調され、その結果得られるデータ列（ＮＲＺＩ）により形成されるようになされている（図５（Ａ）〜（Ｃ））。
【００５３】
かくするにつき、このようにして生成されるデータ列（ＮＲＺＩ）は、トラック番号、ＩＤ番号、セクタ番号に対応して変化することにより、このままＩＤ信号として記録する場合、セクターマーク信号のように直流レベルを０レベルに保持することが困難になり、またトラック番号、ＩＤ番号、セクタ番号に対応して、すなわちセクタの位置に応じてこの直流レベルが変化することになる。
【００５４】
因みにこの図５において示した、トラック番号２２２２、セクター番号２２のセクタにおいて、ＤＳＶ（Digital Sum Value ）を検出すると、ＩＤ番号０においては、値１４のＤＳＶが得られるのに対し、ＩＤ番号１及び２においては、それぞれ値６及び値２のＤＳＶが得られる。
【００５５】
このためこの実施例においては、この図５との対比にて図６に示すように、このようにして得られるデータ列（ＮＲＺＩ）のうち、ＩＤ番号０及びＩＤ番号２のデータ列においては、そのままＩＤ信号として光磁気ディスク２に記録し（図６（Ａ）及び（Ｃ））、ＩＤ番号１のデータ列においては、ＩＤ信号の信号レベルを反転して記録する（図６（Ｂ））。
【００５６】
このようにすれば、図５に示す例では、ＩＤ信号全体として値２２（１４＋６＋２）のＤＳＶが得られるのに対し、図６に示すこの実施例では、ＤＳＶを値１０（１４−６＋２）に低減することができる。従ってその分ＩＤ信号について、再生信号の直流レベルを０レベルに近づけることができる。
【００５７】
またこのようにすれば光磁気ディスク２全体のＩＤ信号について、ＤＳＶ値の分布を図７に示すように、光磁気ディスク２全体としてＤＳＶを値０近傍に集中でき、その分再生信号ＲＦの平均直流レベルを０レベル近傍に集中することできる。因みに、ＩＤ信号をそのまま記録した場合を図７と対比して図８に示すように、ＩＤ信号をそのまま記録したのでは、この実施例に比してＤＳＶ値が広く分散することがわかる。なおこの図７及び図８は、トラック番号００００ｈ〜５２５Ｅｈの範囲で、セクタ番号が０ｈ〜２９ｈを繰り返す場合についてシュミレーションした結果であり、横軸はＤＳＶを、縦軸は各ＤＳＶ値を取るＩＤ信号の個数を示す。
【００５８】
これにより光ディスク装置１の再生系においては、再生信号より交流成分を抽出した後、０レベルをスライスレベルに設定して２値化するだけの簡易な構成により、従来に比して格段的に充分な位相裕度を確保してＩＤ信号を再生することができ、その分簡易かつ確実にこの種の識別信号を再生することができる。
【００５９】
またこの実施例においては、ＮＲＺＩ変調方式を採用したことにより、このように第２番目のＩＤ信号について極性を反転して記録した場合でも、何ら再生系にて動作を切り換えることなく、ＩＤ信号を再生することができ、これによっても簡易な構成で確実にこの種の識別信号を再生することができる。
【００６０】
（１−４）ＩＤ信号の記録系
光磁気ディスク２は、マスタリング装置により形成された原盤からスタンパが形成された後、このスタンパより形成される。この種のＩＤ信号は、マスタリング装置により原盤に記録され、光磁気ディスク２にプリフォーマットされる。従ってこのようなＩＤ信号の信号レベルの反転は、図１に示すようなマスタリング装置４０により記録信号ＲＥＣを生成する際に実行される。
【００６１】
すなわちマスタリング装置４０は、ガラス基板等でなる原盤を規定の回転速度で回転しながら、この原盤にレーザービームを照射し、このレーザービームを内周側から外周側に向かって規定の送り速度で移動させる。さらにマスタリング装置４０は、このレーザービームを記録信号ＲＥＣにより変調し、このレーザービームにより原盤を露光する。
【００６２】
コントローラ４１は、この原盤の回転、レーザービームの送り量をモニタしながら、レーザービームの照射位置に対応して全体の動作を制御する。すなわちコントローラ４１は、セクターマーク生成回路４２に制御データを出力し、レーザービーム照射位置がセクターマークの記録位置（ＳＭ）を走査するタイミングで、このセクターマーク生成回路４２よりセクターマークを出力する。またコントローラ４１は同様にしてアドレスデータ生成回路４３に制御データを出力し、レーザービーム照射位置がＩＤ信号の記録位置（ＩＤ１〜ＩＤ３）を走査するタイミングで、アドレスデータ生成回路４３よりトラック番号、ＩＤ番号、セクタ番号のデータを出力する。
【００６３】
アドレスデータ生成回路４３は、このときコントローラ４１より出力されるレーザービーム照射位置の位置情報に基づいて、これらトラック番号等のデータを生成し、またこのトラック番号等のデータを出力する際、ＣＲＣ演算回路４４によりＣＲＣデータを演算して出力する。
【００６４】
さらにコントローラ４１は、ＶＦＯデータ生成回路４５に制御データを出力し、レーザービーム照射位置が基準信号の記録位置（ＶＦＯ１〜ＶＦＯ３）を走査するタイミングで、このＶＦＯデータ生成回路４５より基準信号を出力する。またコントローラ４１は同様にしてアンドスマーク（ＡＭ）データ生成回路４６に制御データを出力し、レーザービーム照射位置がアンドスマークの記録位置（ＡＭ１〜ＡＭ３）を走査するタイミングで、アンドスマークデータ生成回路４６よりアンドスマークのデータを出力する。
【００６５】
１−７エンコーダ４７は、このアドレスデータ生成回路４３の出力データを１−７変調して出力する。セレクタ４８は、コントローラ４１により制御されて順次接点を切り換え、図４について上述したアドレス部の構成に従って、セクターマーク生成回路４２等の出力データを順次選択出力する。パラレルシリアル変換回路（Ｐ／Ｓ）４９は、このセレクタ４８の出力データをシリアルデータに変換して出力し、ＮＲＺＩエンコーダ５０は、このパラレルシリアル変換回路４９の出力データをＮＲＺＩ変調して出力する。
【００６６】
インバータ５１は、このＮＲＺＩエンコーダ５０の出力データＮＲＺＩの反転信号を生成して出力し、選択回路５２は、第２番目のＩＤ信号の記録領域をレーザービームが走査する期間の間、ＮＲＺＩエンコーダ５０の出力データＮＲＺＩからインバータ５１の出力データに接点を切り換える。
【００６７】
これによりこの選択回路５２を介して得らる記録信号ＲＥＣにおいては、原盤に照射されるレーザービームの照射位置に応じてＩＤ信号が順次切り換わり、このうち第２番目のＩＤ信号について極性が切り換えられるようになされ、マスタリング装置４０では、この記録信号ＲＥＣによりレーザービームを変調してこの記録信号ＲＥＣを原盤に記録してＩＤ信号等を記録するようになされている。
【００６８】
（２）実施例の動作
以上の構成において、光磁気ディスク２は、マスタリング装置４０（図１）により原盤が作成され、この原盤により生成される。この原盤作成の際、セクターマーク生成回路４２、ＶＦＯデータ生成回路４５、アンドスマークデータ生成回路４６から、それぞれ原盤の露光位置に対応したタイミングで、セクターマークＳＭ、基準信号ＶＦＯ、アンドスマークのデータが出力され、これらデータがセレクタ４８にて選択され、パラレルシリアル変換回路４９にてシリアルデータに変換される。
【００６９】
またアドレスデータ生成回路４３からは、トラック番号、ＩＤ番号、セクタ番号でなるアドレスデータがＣＲＣデータと共に出力され、これらデータが１−７エンコーダ４７にて１−７変調された後、セレクタ４８を介してパラレルシリアル変換回路４９にてシリアルデータに変換される。
【００７０】
このパラレルシリアル変換回路４９より出力されるシリアルデータは、ＮＲＺＩエンコーダ５０にてＮＲＺＩ変調された後、選択回路５２を介して記録信号ＲＥＣとして出力される。このとき第２番目のＩＤ信号においては、インバータ５１にて反転信号が生成され、ＮＲＺＩエンコーダ５０の出力データに代えて、選択回路５２より出力され、これにより再生信号の平均直流レベルが０レベルに集中するように、記録信号ＲＥＣが生成される。
【００７１】
これによりマスタリング装置４０において、この記録信号ＲＥＣによりレーザービームが変調されて、図４に示すアドレス部が原盤に記録される。これによりこの原盤で光磁気ディスク２を作成して、図４に示すアドレス部が、第２番目のＩＤ信号については極性が反転した状態で、プリフォーマットにより光磁気ディスク２に記録される。
【００７２】
この光磁気ディスク２（図２）は、スピンドルモータ２８により規定の回転速度で回転駆動された状態で、光学ブロック３によりレーザービームＬが照射され、このレーザービームＬの戻り光が可動部３Ｂより固定部３Ａに導かれた後、この固定部３Ａの受光素子１６により受光されて再生信号ＲＦに変換される。
【００７３】
この再生信号ＲＦ（図３）は、イコライザ３０にて周波数特性が補正された後、コンパレータ３１にてスライスレベルを基準にして２値化信号に変換され、この２値化信号からＰＬＬ回路３２により再生クロックが生成され、この再生クロックを基準にして２値化信号が再生データに変換される。
【００７４】
かくするにつき、ＩＤ信号の極性を一部切り換えて、再生信号ＲＦの平均直流レベルが０レベルに集中することにより、この２値化信号においては、単にＡＣカップリングにより交流成分を抽出した後、固定したスライスレベルにより２値化するだけで、正しいタイミングで信号レベルが切り換わる。これによりこの２値化信号により生成される再生クロックにおいては、ジッタの発生を低減でき、光ディスク装置１では、充分な位相裕度により再生データを生成することができる。
【００７５】
この再生データは、ＮＲＺＩ復調回路３４により復調された後、１−７デコード回路３５により１−７復調され、アドレスデコード回路３６によりアドレスデータが検出される。これにより再生時においては、このアドレスデータを基準にして、規定のセクタにおいて、１−７デコード回路３５より得られる画像データが誤り訂正回路８により誤り訂正されて外部機器に出力される。また記録時においては、同様にこのアドレスデータを基準にして、規定のセクタにおいて、誤り訂正符号と共に１−７変調された画像データがＮＲＺＩ変調されて、所望のセクタに記録される。
【００７６】
（３）実施例の効果
以上の構成によれば、記録再生位置に応じて直流レベルが変化するＩＤ信号について、繰り返し記録されるＩＤ信号の一部を、極性を切り換えて記録したことにより、再生信号ＲＦの平均直流レベルを０レベルに近づけることができる。これにより再生系において、単に固定したスライスレベルで再生信号を２値化して処理するだけの簡易な構成で、ＩＤ信号等を正しく再生することができる。
（４）他の実施例
【００７７】
なお上述の実施例においては、記録再生の際に基準とされる基準信号でなるＩＤ信号について、このＩＤ信号を繰り返し３回記録し、２番面のＩＤ信号の極性を反転する場合について述べたが、本発明はこれに限らず、必要に応じて繰り返しの回数、極性を切り換える箇所を自由に選定することができ、またこの極性を切り換える箇所をセクタ単位、トラック番号単位で順次切り換えるようにしてもよい。
【００７８】
さらに上述の実施例においては、ＮＲＺＩ変調により生成されるＩＤ信号の極性を一部で切り換える場合について述べたが、本発明はこれに限らず、必要に応じて種々の変調方式により生成される基準信号に広く適用することができる。なお変調方式によっては、再生信号を復調する際に、記録時の極性の切り換えに対応して再生信号の極性を切り換える必要がある。
【００７９】
さらに上述の実施例においては、光磁気ディスクとこの光磁気ディスクが適用される光ディスク装置に適用して、プリフォーマットにより基準信号でなるＩＤ信号を記録する場合について述べたが、本発明はこれに限らず、ライトワンス型の光ディスクとその光ディスク装置、さらには光ディスクに限らず、再生信号の周波数帯域が直流近傍にまで分布する種々のデータ記録装置、さらにはこれらのデータ記録装置において、フォーマット機能を備えた装置に広く適用することができる。
【００８０】
さらに上述の実施例においては、画像データを記録再生する場合について述べたが、本発明はこれに限らず、種々のデータを記録再生する光ディスク装置等にに広く適用することができる。
【００８１】
【発明の効果】
上述のように本発明によれば、基準信号でなる例えば各セクタの識別信号を繰り返し記録する際に、この識別信号の極性を一部反転して記録することにより、再生信号の平均直流レベルを０レベル近傍に集中することができ、これより簡易な構成で、記録したデータを確実に再生することができる。
【図面の簡単な説明】
【図１】本発明の一実施例による光磁気ディスクのマスタリング装置を示すブロック図である。
【図２】本発明の一実施例による光ディスク装置を示すブロック図である。
【図３】図１の光ディスク装置のＲＦ回路を示すブロック図である。
【図４】図１の光磁気ディスクの各セクタのフォーマットを示す図表である。
【図５】図４のＩＤ信号の説明に供する図表である。
【図６】図４と対比して実際のＩＤ信号を示す図表である。
【図７】光磁気ディスク全体におけるＤＳＶの分布を示す特性曲線図である。
【図８】図７と対比してＩＤ信号を直接記録した場合のＤＳＶの分布を示す特性曲線図である。
【符号の説明】
１                          光ディスク装置
２                          光磁気ディスク
３                          光学ブロック
９                          ＲＦ回路
２５、４１                  システムコントロール回路
３１                        コンパレータ
３２                        ＰＬＬ回路
４８                        セレクタ
５１                        インバータ
【図１】
0003794036.tif 000002
【図２】
0003794036.tif 000003
【図３】
0003794036.tif 000004
【図４】
0003794036.tif 000005
【図５】
0003794036.tif 000006
【図６】
0003794036.tif 000007
【図７】
0003794036.tif 000008
【図８】
0003794036.tif 000009